【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
アクセスポイントにおいて、第１のデバイスから第１のメッセージを受信し、前記第１のメッセージは、前記第１のデバイスから第２のデバイスへの、第２のメッセージの送信を示すことと、
前記アクセスポイントにおいて、前記第２のデバイスから第３のメッセージを受信し、前記第３のメッセージは、前記第２のデバイスにおける通信チャネルを決定するためのトレーニング情報を含むことと、
ビーム形成されたメッセージの送信が、前記第２のデバイスにおける干渉をゼロにすることを実行するように、前記アクセスポイントにおいて、前記トレーニング情報に少なくとも部分的に基づいて、送信のためのビーム形成されたメッセージを発生させることと、
前記第２のメッセージの送信と並行して、前記ビーム形成されたメッセージの前記アクセスポイントから第３のデバイスへの送信をスケジューリングすることとを含む方法。
【請求項２】
前記ビーム形成されたメッセージは、物理レイヤデータユニット、ＰＰＤＵ、を含み、または、
前記方法は、２本以上のアンテナを通して、前記ビーム形成されたメッセージを送信することをさらに含む請求項１記載の方法。
【請求項３】
前記ビーム形成されたメッセージの送信をスケジューリングすることは、前記ビーム形成されたメッセージが、前記第３のメッセージと同時にその送信を完了するように、前記ビーム形成されたメッセージをスケジューリングすることを含む請求項１記載の方法。
【請求項４】
前記第１のメッセージは、前記ビーム形成されたメッセージを発生させる、通信リンク中の少なくとも１つの送信機をさらに示し、
特に、前記第１のメッセージは、前記通信リンク中のそれぞれ示された送信機に対応する受信機をさらに示す請求項１記載の方法。
【請求項５】
前記第１のメッセージは、搬送波感知多元接続、ＣＳＭＡ、を介して送信することができ、または、ＣＳＭＡを介して前記第１のデバイスによって送られた以前のメッセージに続くことができ、または、
前記ビーム形成されたメッセージの送信をスケジューリングすることは、前記第２のメッセージのプリアンブル部分の後に、前記ビーム形成されたメッセージの送信をスケジューリングすることを含む請求項１記載の方法。
【請求項６】
第４のメッセージを送信し、前記第４のメッセージは、送信レートに対応する空間ストリーム毎の信号対干渉プラス雑音比、ＳＩＮＲ、を推定するためのトレーニング情報を含むことと、
前記第４のメッセージに応答して、前記第３のデバイスから第５のメッセージを受信し、前記第５のメッセージは、推定されたＳＩＮＲと送信レートとを含むこととをさらに含み、
前記方法は、特に、前記第２のデバイスから第６のメッセージを受信することをさらに含み、
前記第６のメッセージは、前記第１および前記第４のメッセージに基づいており、前記第１のデバイスによる前記第２のメッセージの送信のための、推定されたＳＩＮＲと送信レートとを含み、または、
前記方法は、特に、前記第２のメッセージ中の表示に少なくとも部分的に基づいて、前記ビーム形成されたメッセージを選択的に送信することをさらに含む請求項１記載の方法。
【請求項７】
前記第３のデバイスのアンテナの数に基づいて、前記第３のデバイスを選択することをさらに含み、
特に、前記第３のデバイスを選択することは、前記第１のデバイスから前記第３のデバイスへのパス損失に基づいて、前記第３のデバイスを選択することをさらに含み、または、
特に、前記第３のデバイスを選択することは、前記ビーム形成されたメッセージの受信の間、ビーム形成パターンが前記第１のデバイスにおける干渉をゼロにすることを実行するように、前記第３のデバイスが前記ビーム形成パターンを発生させるのに十分なアンテナを有することに基づいて、前記第３のデバイスを選択することを含む請求項１記載の方法。
【請求項８】
ワイヤレス通信のための装置において、
第１のデバイスから第１のメッセージを受信し、前記第１のメッセージは、前記第１のデバイスから第２のデバイスへの、第２のメッセージの送信を示す手段と、
前記第２のデバイスから第３のメッセージを受信し、前記第３のメッセージは、前記第２のデバイスにおける通信チャネルを決定するためのトレーニング情報を含む手段と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させる手段と、
前記第２のメッセージの送信と並行して、前記ビーム形成されたメッセージの第３のデバイスへの送信をスケジューリングする手段とを具備する装置。
【請求項９】
前記のさまざまな手段は、
第１のデバイスから第１のメッセージを受信し、前記第１のメッセージは、前記第１のデバイスから第２のデバイスへの、第２のメッセージの送信を示すように構成され、前記第２のデバイスから第３のメッセージを受信し、前記第３のメッセージは、前記第２のデバイスにおける通信チャネルを決定するためのトレーニング情報を含むようにさらに構成されている受信機と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させるように構成され、前記第２のメッセージの送信と並行して、前記ビーム形成されたメッセージの第３のデバイスへの送信をスケジューリングするようにさらに構成されているプロセッサとの内で具現化されている請求項８記載の装置。
【請求項１０】
前記プロセッサは、前記ビーム形成されたメッセージが、前記第３のメッセージと同時にその送信を完了するように、前記ビーム形成されたメッセージをスケジューリングするようにさらに構成され、または、
送信機は、前記第２のメッセージ中の表示に少なくとも部分的に基づいて、前記ビーム形成されたメッセージを選択的に送信するように構成されている請求項９記載の装置。
【請求項１１】
前記第１のメッセージは、前記第２のメッセージの送信のための空間ストリームの数をさらに示し、
特に、前記第２のメッセージの送信のための空間ストリームの数に少なくとも部分的に基づいて、前記ビーム形成されたメッセージを選択的に送信することをさらに含む請求項１記載の方法または請求項９記載の装置。
【請求項１２】
前記第１のメッセージは、前記ビーム形成されたメッセージを発生させる、通信リンク中の少なくとも１つの送信機をさらに示し、または、
前記プロセッサは、前記第２のメッセージのプリアンブル部分の後に、前記ビーム形成されたメッセージの送信をスケジューリングするようにさらに構成されている請求項９記載の装置。
【請求項１３】
第４のメッセージを送信するように構成されている送信機をさらに具備し、前記第４のメッセージは、送信レートに対応する空間ストリーム毎の信号対干渉プラス雑音比、ＳＩＮＲ、を推定するためのトレーニング情報を含み、
前記受信機は、前記第４のメッセージに応答して、前記第３のデバイスから第５のメッセージを受信するようにさらに構成され、
前記第５のメッセージは、推定されたＳＩＮＲと送信レートとを含み、
前記装置は、特に、前記受信機が、前記第２のデバイスから第６のメッセージを受信するようにさらに構成され、
前記第６のメッセージは、前記第１および前記第４のメッセージに基づいており、前記第１のデバイスによる前記第２のメッセージの送信のための、推定されたＳＩＮＲと送信レートとを含む請求項９記載の装置。
【請求項１４】
前記プロセッサは、前記第３のデバイスのアンテナの数に基づいて、前記第３のデバイスを選択するようにさらに構成され、
特に、前記プロセッサは、前記第１のデバイスから前記第３のデバイスへのパス損失に基づいて、前記第３のデバイスを選択するようにさらに構成され、または、
特に、前記プロセッサは、前記ビーム形成されたメッセージの受信の間、ビーム形成パターンが前記第１のデバイスにおける干渉をゼロにすることを実行するように、前記第３のデバイスが前記ビーム形成パターンを発生させるのに十分なアンテナを有することに基づいて、前記第３のデバイスを選択するようにさらに構成されている請求項９記載の装置。
【請求項１５】
請求項１ないし７のうちのいずれか１項に記載の方法を実行するための命令を含むコンピュータプログラム。
【手続補正２】
【補正対象書類名】明細書
【補正対象項目名】００７３
【補正方法】変更
【補正の内容】
【００７３】
［００９０］
上記は、本開示の態様に向けられているが、本開示の他の態様およびさらなる態様が、その基本的な範囲から逸脱することなく考案することができ、その範囲は、下記の特許請求の範囲によって決定される。
以下に、本願出願の当初の特許請求の範囲に記載された発明を付記する。
［１］  ワイヤレス通信の方法において、
第１のデバイスから第１のメッセージを受信し、前記第１のメッセージは、前記第１のデバイスから第２のデバイスへの、第２のメッセージの送信を示すことと、
前記第２のデバイスから第３のメッセージを受信し、前記第３のメッセージは、前記第２のデバイスにおける通信チャネルを決定するためのトレーニング情報を含むことと、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させることと、
前記第２のメッセージの送信と並行して、前記ビーム形成されたメッセージの第３のデバイスへの送信をスケジューリングすることとを含む方法。
［２］  前記ビーム形成されたメッセージは、物理レイヤデータユニット（ＰＰＤＵ）を含む［１］記載の方法。
［３］  前記ビーム形成されたメッセージの送信をスケジューリングすることは、前記ビーム形成されたメッセージが、前記第３のメッセージと同時にその送信を完了するように、前記ビーム形成されたメッセージをスケジューリングすることを含む［１］記載の方法。
［４］  前記ビーム形成されたメッセージを２本以上のアンテナを通して送信することをさらに含む［１］記載の方法。
［５］  前記第１のメッセージは、前記第２のメッセージの送信のための空間ストリームの数をさらに示す［１］記載の方法。
［６］  前記第２のメッセージの送信のための空間ストリームの数に少なくとも部分的に基づいて、前記ビーム形成されたメッセージを選択的に送信することをさらに含む［５］記載の方法。
［７］  前記第１のメッセージは、前記ビーム形成されたメッセージを発生させる、通信リンク中の少なくとも１つの送信機をさらに示す［１］記載の方法。
［８］  前記第１のメッセージは、前記通信リンク中のそれぞれ示された送信機に対応する受信機をさらに示す［７］記載の方法。
［９］  前記第１のメッセージは、搬送波感知多元接続（ＣＳＭＡ）を介して送信することができ、または、ＣＳＭＡを介して前記第１のデバイスによって送られた以前のメッセージに続くことができる［１］記載の方法。
［１０］  前記ビーム形成されたメッセージの送信をスケジューリングすることは、前記第２のメッセージのプリアンブル部分の後に、前記ビーム形成されたメッセージの送信をスケジューリングすることを含む［１］記載の方法。
［１１］  第４のメッセージを送信し、前記第４のメッセージは、送信レートに対応する空間ストリーム毎の信号対干渉プラス雑音比（ＳＩＮＲ）を推定するためのトレーニング情報を含むことと、
前記第４のメッセージに応答して、前記第３のデバイスから第５のメッセージを受信し、前記第５のメッセージは、推定されたＳＩＮＲと送信レートとを含むこととをさらに含む［１］記載の方法。
［１２］  前記第２のデバイスから第６のメッセージを受信することをさらに含み、
前記第６のメッセージは、前記第１および前記第４のメッセージに基づいており、前記第１のデバイスによる前記第２のメッセージの送信のための、推定されたＳＩＮＲと送信レートとを含む［１１］記載の方法。
［１３］  前記第２のメッセージ中の表示に少なくとも部分的に基づいて、前記ビーム形成されたメッセージを選択的に送信することをさらに含む［１１］記載の方法。
［１４］  前記第３のデバイスのアンテナの数に基づいて、前記第３のデバイスを選択することをさらに含む［１］記載の方法。
［１５］  前記第３のデバイスを選択することは、前記第１のデバイスから前記第３のデバイスへのパス損失に基づいて、前記第３のデバイスを選択することをさらに含む［１４］記載の方法。
［１６］  前記第３のデバイスを選択することは、前記ビーム形成されたメッセージの受信の間、ビーム形成パターンが前記第１のデバイスにおける干渉をゼロにすることを実行するように、前記ビーム形成パターンを発生させるのに十分なアンテナを有する前記第３のデバイスに基づいて、前記第３のデバイスを選択することを含む［１４］記載の方法。
［１７］  ワイヤレス通信の装置において、
第１のデバイスから第１のメッセージを受信し、前記第１のメッセージは、前記第１のデバイスから第２のデバイスへの、第２のメッセージの送信を示すように構成され、前記第２のデバイスから第３のメッセージを受信し、前記第３のメッセージは、前記第２のデバイスにおける通信チャネルを決定するためのトレーニング情報を含むようにさらに構成されている受信機と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させるように構成されているプロセッサとを具備し、
前記プロセッサは、前記第２のメッセージの送信と並行して、前記ビーム形成されたメッセージの第３のデバイスへの送信をスケジューリングするようにさらに構成されている装置。
［１８］  前記プロセッサは、前記ビーム形成されたメッセージが、前記第３のメッセージと同時にその送信を完了するように、前記ビーム形成されたメッセージをスケジューリングするようにさらに構成されている［１７］記載の装置。
［１９］  前記第１のメッセージは、前記第２のメッセージの送信のための空間ストリームの数をさらに示す［１７］記載の装置。
［２０］  前記第２のメッセージの送信のための空間ストリームの数に少なくとも部分的に基づいて、前記ビーム形成されたメッセージを選択的に送信することをさらに含む［１９］記載の装置。
［２１］  前記第１のメッセージは、前記ビーム形成されたメッセージを発生させる、通信リンク中の少なくとも１つの送信機をさらに示す［１７］記載の装置。
［２２］  前記プロセッサは、前記第２のメッセージのプリアンブル部分の後に、前記ビーム形成されたメッセージの送信をスケジューリングするようにさらに構成されている［１７］記載の装置。
［２３］  第４のメッセージを送信するように構成されている送信機をさらに具備し、前記第４のメッセージは、送信レートに対応する空間ストリーム毎の信号対干渉プラス雑音比（ＳＩＮＲ）を推定するためのトレーニング情報を含み、
前記受信機は、前記第４のメッセージに応答して、前記第３のデバイスから第５のメッセージを受信するようにさらに構成され、
前記第５のメッセージは、推定されたＳＩＮＲと送信レートとを含む［１７］記載の装置。
［２４］  前記受信機は、前記第２のデバイスから第６のメッセージを受信するようにさらに構成され、
前記第６のメッセージは、前記第１および前記第４のメッセージに基づいており、前記第１のデバイスによる前記第２のメッセージの送信のための、推定されたＳＩＮＲと送信レートとを含む［２３］記載の装置。
［２５］  送信機は、前記第２のメッセージ中の表示に少なくとも部分的に基づいて、前記ビーム形成されたメッセージを選択的に送信するようにさらに構成されている［１７］記載の装置。
［２６］  前記プロセッサは、前記第３のデバイスのアンテナの数に基づいて、前記第３のデバイスを選択するようにさらに構成されている［１７］記載の装置。
［２７］  前記プロセッサは、前記第１のデバイスから前記第３のデバイスへのパス損失に基づいて、前記第３のデバイスを選択するようにさらに構成されている［２６］記載の装置。
［２８］  前記プロセッサは、前記ビーム形成されたメッセージの受信の間、ビーム形成パターンが前記第１のデバイスにおける干渉をゼロにすることを実行するように、前記ビーム形成パターンを発生させるのに十分なアンテナを有する前記第３のデバイスに基づいて、前記第３のデバイスを選択するようにさらに構成されている［２６］記載の装置。
［２９］  ワイヤレス通信の装置において、
第１のデバイスから第１のメッセージを受信し、前記第１のメッセージは、前記第１のデバイスから第２のデバイスへの、第２のメッセージの送信を示す手段と、
前記第２のデバイスから第３のメッセージを受信し、前記第３のメッセージは、前記第２のデバイスにおける通信チャネルを決定するためのトレーニング情報を含む手段と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させる手段と、
前記第２のメッセージの送信と並行して、前記ビーム形成されたメッセージの第３のデバイスへの送信をスケジューリングする手段とを具備する装置。
［３０］  命令を含む非一時的コンピュータ読取可能媒体において、命令は、実行されるとき、プロセッサに、
第１のデバイスから第１のメッセージを受信し、前記第１のメッセージは、前記第１のデバイスから第２のデバイスへの、第２のメッセージの送信を示すことと、
前記第２のデバイスから第３のメッセージを受信し、前記第３のメッセージは、前記第２のデバイスにおける通信チャネルを決定するためのトレーニング情報を含むことと、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させることと、
前記第２のメッセージの送信と並行して、前記ビーム形成されたメッセージの第３のデバイスへの送信をスケジューリングすることとの方法を実行させる非一時的コンピュータ読取可能媒体。